(57)【要約】【課題】  排紙トレイを着脱することなく、フラットパス記録の給排紙トレイを構成するとともに被記録材の給紙位置へのセットを容易にする。被記録材を排出するときの排出動作の妨げや被記録材の傷つきをなくす。【解決手段】  フラットパスにおける被記録材の給紙および排紙に使用される給排紙トレイ７１０を備えた記録装置である。給排紙トレイは、排紙される被記録材を積載するための第１ポジションと、フラットパスで被記録材を給紙および排紙するための第２ポジションとの間で移動可能である。給排紙トレイが第２ポジションへ移動したとき被記録材を案内するサイドガイド９１０が給排紙トレイ上に突出し、フラットパス記録で被記録材を排紙するときサイドガイドは被記録材と接触しない位置へ退避する。【選択図】  図７
2009196741.tif 000002
【特許請求の範囲】
【請求項１】
給紙手段と、給紙された被記録材を搬送する搬送手段と、搬送される被記録材に画像を記録する記録手段と、被記録材を排出する排紙手段と、被記録材を保持するための給排紙トレイと、前記排紙手段から装置内へ延びる搬送路を形成するフラットパスと、を備え、
前記給排紙トレイは、前記排紙手段から排出される被記録材を積載するための第１ポジションと、前記排紙手段から前記フラットパスへ被記録材を給紙するとともに前記排紙手段から排出される被記録材を受けるための第２ポジションとの間で移動可能であり、
前記給排紙トレイが前記第２ポジションへ移動したとき、被記録材の幅方向の端部を案内するためのサイドガイドが前記給排紙トレイから突出することを特徴とする記録装置。
【請求項２】
前記給排紙トレイが前記第２ポジションにセットされた状態では、前記サイドガイドは、被記録材を前記給排紙トレイ上に載置するとき前記給排紙トレイから突出しており、被記録材が前記排紙口から排出されるとき該被記録材と接触しない位置に退避することを特徴とする請求項１に記載の記録装置。
【請求項３】
前記サイドガイドは、被記録材が前記フラットパスをスイッチバック搬送されて前記排紙手段から排出されるとき、前記給排紙トレイの下方へ退避することを特徴とする請求項２に記載の記録装置。
【請求項４】
前記サイドガイドは、被記録材が前記フラットパスをスイッチバック搬送されて前記排紙手段から排出されるとき、搬送方向と交差する方向に移動して退避することを特徴とする請求項２に記載の記録装置。
【請求項５】
前記給排紙トレイが第１ポジションにセットされた状態では、前記サイドガイドは被記録材と接触しない位置に退避していることを特徴とする請求項１乃至４のいずれか１項に記載の記録装置。
【請求項６】
前記給排紙トレイの前記サイドガイドと対向する位置に、被記録材の幅方向の端部を案内するために搬送方向と交差する方向に移動可能な第２のサイドガイドが配され、
前記第２のサイドガイドは、前記給排紙トレイが前記第２ポジションへ移動したときに前記給排紙トレイから突出し、被記録材が前記フラットパスをスイッチバック搬送されて前記排紙手段から排出されるとき該被記録材と接触しない位置に退避することを特徴とする請求項１乃至５のいずれか１項に記載の記録装置。
【請求項７】
前記給排紙トレイが第１ポジションにセットされた状態では、前記第２のサイドガイドは被記録材と接触しない位置に退避していることを特徴とする請求項６に記載の記録装置。
【発明の詳細な説明】
【技術分野】
【０００１】
本発明は、排紙手段から装置内へ延びるフラットパスにおける給紙および排紙が可能な給排紙トレイを備えた記録装置に関する。
【背景技術】
【０００２】
画像情報に基づいて記録ヘッドにより被記録材に記録を行う記録装置は、一般に、給紙手段から給送される被記録材を画像形成部へ搬送し、画像形成部で記録した後に排紙手段から排出する構成になっている。記録装置においては、ボード紙等の厚い被記録材や補助トレイに搭載されたＣＤ−Ｒ等の記録メディアに記録する場合、通常の被記録材の搬送路とは異なる平坦な搬送路であるフラットパスで搬送しながら記録が行われる。また、フラットパスで記録する場合には、給紙トレイと排紙トレイを兼ねた給排紙トレイが使用されている。
【０００３】
特許文献１には、略水平な搬送路に着脱自在な給排紙トレイを設けることにより、厚手の被記録材に記録を行う記録装置が開示されている。また、特許文献２には、厚手原稿搬送のために、ユーザーが排紙トレイの位置を変えることにより、略水平な搬送路を形成するものが開示されている。さらに、特許文献３には、記録紙が排出されるときにはトレイ上のサイドガイドを退避させる構成のものが開示されている。
【特許文献１】特開２００３−１０４５９０号公報
【特許文献２】特開２００７−０６９５７８号公報
【特許文献３】特開平０６−０１６３１８号公報
【発明の開示】
【発明が解決しようとする課題】
【０００４】
特許文献１の技術では、給排紙トレイを着脱自在な構成にしているため、使用しないときに収納するための手間を要していた。また、被記録材の側端縁を規制するためのサイドガイドが固定されているため、給排紙トレイ上に排出される被記録材がサイドガイドに当接し、被記録材が傷付いたり、ジャムが発生するおそれがあった。特許文献２の技術では、給紙トレイと排紙トレイに兼用しているため、用紙の端縁を規制するサイドガイドを設けることができず、ユーザーが目印などに沿って用紙を挿入しなければならなかった。
【０００５】
本発明はこのような技術的課題に鑑みてなされたものである。本発明の目的は、着脱することなく、排紙トレイとして使用可能であるとともに、排紙手段から装置内へ延びるフラットパスの給紙トレイおよび排紙トレイとして兼用可能な給排紙トレイを備えた記録装置を提供することである。
【課題を解決するための手段】
【０００６】
本発明の記録装置は、給紙手段と、給紙された被記録材を搬送する搬送手段と、搬送される被記録材に画像を記録する記録手段と、被記録材を排出する排紙手段と、被記録材を保持するための給排紙トレイと、前記排紙手段から装置内へ延びる搬送路を形成するフラットパスと、を備え、前記給排紙トレイは、前記排紙手段から排出される被記録材を積載するための第１ポジションと、前記排紙手段から前記フラットパスへ被記録材を給紙するとともに前記排紙手段から排出される被記録材を受けるための第２ポジションとの間で移動可能であり、前記給排紙トレイが前記第２ポジションへ移動したとき、被記録材の幅方向の端部を案内するためのサイドガイドが前記給排紙トレイから突出することを特徴とする。
【発明の効果】
【０００７】
本発明によれば、着脱することなく、排紙トレイとして使用可能であるとともに、排紙手段から装置内へ延びるフラットパスの給紙トレイおよび排紙トレイとして兼用可能な給排紙トレイを備えた記録装置が提供される。
【発明を実施するための最良の形態】
【０００８】
以下に本発明の実施形態を説明する。なお、各図面を通して同一符号は同一又は対応部分を示す。
〔第１の実施形態〕
図１は給紙手段から給送される被記録材に記録するときの記録装置の斜視図である。図２は記録装置の構成を示す斜視図である。図３は記録装置の構成を示す縦断面図である。図４は記録ヘッドおよびインクタンクの斜視図である。図５はフラットパスを用いて記録可能にした記録装置の前面斜視図である。図６はフラットパスを使用するときの記録装置の背面斜視図である。図７はフラットパスで被記録材に記録するときの記録装置の縦断面図である。
【０００９】
記録装置は、給紙手段を構成する給紙部、搬送手段を構成する搬送部、排紙手段を構成する排紙部、記録手段を構成する画像形成部を備えており、これらは外装部により覆われている。また、装置内には、ボード紙等の厚い被記録材や、ＣＤ−Ｒ等の記録メディアを搭載した補助トレイを画像形成部を通して搬送するための平坦な搬送路を形成するフラットパスが設けられている。本願では、記録メディアを搭載した補助トレイも一種の被記録材である。なお、本実施形態に係る記録装置はインクジェット記録装置であり、記録ヘッドのインク吐出性能を維持回復するための回復手段を構成するクリーニング部を備えている。
【００１０】
外装部は、下ケース７８０、上ケース７４０、アクセスカバー７３０、コネクタカバーおよびフ給排紙トレイ７１０を備えている。給排紙トレイ７１０は、排紙手段の排紙口を塞ぐ位置と開口する位置との間で移動可能である。上ケース７４０には開閉可能なアクセスカバー７３０が取り付けられており、インクタンク１９０および記録ヘッド１１０を交換することができる。記録ヘッド１１０は、異なる色のインクを吐出する複数の吐出口列を有し、各吐出口列ごとに交換可能なインクタンク１９０が装着されている。記録ヘッド１１０と各色インクタンク１９０により記録ヘッドカートリッジ１００が構成されている。上ケース７４０の背面部には、給紙手段の給紙トレイ２６０が開閉可能に取り付けられている。給紙トレイ２６０は使用されないときは外装部の一部となる。
【００１１】
給紙手段は、給紙ローラ２８０、圧板２１０、分離ローラ２４１および戻しレバー２２０などをベース２００に取り付けて構成されている。給紙ローラ２８０は、給紙トレイ２６０に積載された被記録材を給送するものであり、圧板２１０は積載された被記録材を給紙ローラ２８０に圧接するものである。分離ローラ２４１は給紙ローラ２８０と協働して被記録材を１枚ずつに分離して給送するものであり、戻しレバー２２０は給紙ローラ２８０まで送り出された余分の被記録材を積載位置に戻すものである。
【００１２】
搬送手段を構成する搬送部は、給送されてきた被記録材を画像形成部を通して搬送するための搬送ローラ３６０と、搬送ローラ３６０に押圧されて従動回転するピンチローラ３７０を有する。ピンチローラ３７０は、ばね付勢された揺動可能なピンチローラホルダ３００に保持されている。また、搬送部には、被記録材の先端および後端を検知するためのＰＥ（ペーパーエンド）センサレバー３２１およびＰＥセンサ３２２が設けられている。また、搬送上流側には、入口を構成するガイドフラッパ３３９が配されている。
【００１３】
搬送ローラ３６０の搬送下流側には、記録ヘッド１１０により画像を形成する画像形成部が配設されている。画像形成部には、画像を形成される被記録材を支持するプラテン３４０が配されている。搬送ローラ３６０の軸上には搬送量を検知するためのコードホイールが固定されている。このコードホイールのマーキングをコードセンサで読み取ることにより、搬送ローラ３６０による搬送量従って被記録材の位置を検知することができる。
【００１４】
排紙手段を構成する排紙部には、第１排紙ローラ３１０および第２排紙ローラ３１１が配されている。拍車ホルダ３３０に軸支された拍車３２０を各排紙ローラ３１０、３１１に押圧することで搬送力を発生している。第１排紙ローラ３１０および第２排紙ローラ３１１は、搬送モータ３１７により搬送ローラ３６０と同期駆動される。各拍車３２０は、棒状のばねを介して拍車ホルダ３３０に揺動可能に取り付けらており、ばね付勢により排紙ローラ３１０、３１１に押圧されている。以上の排紙手段によれば、給紙部から給送されて画像形成された被記録材は、排紙ローラ３１０、３１１と拍車３２０とにより排紙口３１５から排出され、排出口３１５より下方の位置にセットされた給排紙トレイ７１０上に排出される。図示の例では、給排紙トレイ７１０から引き出されたトレイ板３１６上に排出される
【００１５】
記録手段を構成する画像形成部には、記録ヘッド１１０を搭載して被記録材の幅方向に移動可能なキャリッジ４００が設けられている。記録ヘッド１１０には各色インクタンク１９０が交換可能に装着されている。キャリッジ４００は、ガイドシャフト４２０およびガイドレール１２０に沿って往復移動可能であり、キャリッジモータによりタイミングベルト４４１を介して駆動される。また、キャリッジ４００は、ガイドシャフト４２０をカム機構によりシャーシ１０１に対して上下移動させることにより、昇降可能に構成されている。キャリッジ４００の昇降により、記録ヘッド１１０と被記録材との隙間を調整することができる。
【００１６】
キャリッジ４００上の記録ヘッド１１０の主走査方向の位置は、エンコーダスケールをキャリッジ上のエンコーダセンサで読み取ることにより検知される。キャリッジ４００上の基板と装置のメイン基板は、フレキシブルケーブルを介して電気的に接続されている。さらに、キャリッジ４００には、記録ヘッド１１０の記録画像に対する位置を検知するための反射型光センサからなる位置検知センサが搭載されている。この位置検知センサは、例えば、補助トレイに搭載されて搬送される記録メディアへ記録を行うときの記録ヘッドの位置、あるいは記録された画像の位置を検知するために使用される。以上の記録手段からなる画像形成部によれば、記録ヘッド１１０で記録しながらキャリッジ４００を移動させる主走査と、搬送ローラ３６０により被記録材を搬送する副走査とを交互に繰り返すことにより、被記録材全体の記録が行われる。記録された被記録材は、排紙手段を通して、給排紙トレイ７１０上に排出される。
【００１７】
本実施形態に係る記録装置はインクジェット記録装置であることから、キャリッジ４００の移動範囲内であって記録領域を外れた所定位置に、記録ヘッドのインク吐出性能を維持回復するための回復手段であるクリーニング部が配設されている。クリーニング部は、記録ヘッド１１０の吐出口面を覆うためのキャップと、吐出口面を拭き取り清掃するためのワイパーと、キャップに接続された吸引ポンプとを備えている。キャップで吐出口を密閉した状態で吸引ポンプを作動させることにより、吐出口からインクを強制的に吸引排出させ、吐出口内のインクをリフレッシュさせることができる。また、吐出口面を開放した状態で、キャップもしくはインク受けにインクを吐出することにより吐出口内のインクをリフレッシュさせることもできる。
【００１８】
本実施形態に係る記録装置には、排紙手段から装置内へ延びる平坦な搬送路を形成するフラットパスとが設けられている。給紙手段から給紙する場合の搬送路はピンチローラ３７０に到達するまでは湾曲しており、被記録材は湾曲された状態で搬送される。従って、例えば０．５ｍｍ程度以上の厚い被記録材やＣＤ−Ｒ等の記録メディアを搭載した補助トレイなど、非可撓性の被記録材を給紙手段から給紙しようとすると、曲げられた被記録材の反力により搬送抵抗が増大し、給送が不可能になることがある。また、給送が可能であっても、排出された被記録材が変形したままになったり、折れたりすることがある。そこで、厚い被記録材、曲げたくない被記録材、ＣＤ−Ｒなど、曲げることができない被記録材に記録するために、全体を平坦な搬送路で形成したフラットパスが設けられている。フラットパスを用いる記録動作を、通常の記録動作と区別するため、フラットパス記録と称し、通常の記録動作を通常記録と称する。
【００１９】
図８はフラットパス記録のために給排紙トレイが第２ポジションにあるときの斜視図である。図９は給紙手段から給紙される被記録材に記録する通常記録のために給排紙トレイが第１ポジションにあるときの斜視図である。図１０は給排紙トレイが第２ポジションにあってサイドガイドが突出しないときの一部破断斜視図である。図１１は給排紙トレイが第２ポジションにあってサイドガイドが突出しないときの一部破断斜視図である。本実施形態に係る記録装置は、フラットパス記録において、排紙手段からフラットパスへ給紙する被記録材を載置する給排紙トレイ７１０を備えている。この給排紙トレイ７１０は、フラットパスをスイッチバック搬送される間に記録され、排紙手段から排出される被記録材を受ける排紙トレイとしての機能も有する。
【００２０】
フラットパス記録には、装置本体の背面の開口部から（給紙部の下方）から手差し給紙し、画像形成部で記録した被記録材を排紙部（装置前面）から排出する一方通行タイプがある。これに対し、本実施形態に係るフラットパス記録は、被記録材を装置前面の排紙口から記録開始位置まで給送し、そこからスイッチバック搬送しながら記録を行って排紙口から排出するものである。図７には、本実施形態に係る記録装置の排紙口から装置内に延びる平坦なフラットパスが示されている。
【００２１】
通常記録のときは、給排紙トレイ７１０は、数十枚の被記録材を積載可能な排紙トレイを兼ねるため、排紙手段の排紙口３１５より下方に位置している。しかし、フラットパス記録のときは、被記録材を排紙口から水平に装置内へ給紙するため、給排紙トレイ７１０は排紙口と同じ位置まで上昇させる必要がある。この排紙口３１５の高さはフラットパスの出口と同じ高さである。そこで、給排紙トレイ７１０の両端部にはピニオン９３０が軸支されており、ピニオン９３０は、下ケース７８０に固定されたラックホルダ９２０に設けられたラック９３１に噛み合っている。ピニオン９３０を駆動することにより、給排紙トレイ７１０をラック９３１に沿って昇降させることができる。通常記録の場合は、給排紙トレイ７１０を排紙口３１５の下方に設定された第１ポジションへ下降させる。また、フラットパス記録の場合は、給排紙トレイ７１０は排紙口の高さに設定された第２ポジションまで上昇させる。給排紙トレイ７１０は、フック等により、各ポジションに固定される。
【００２２】
給排紙トレイ７１０がフラットパスの出口と同じ高さの第２ポジションまで移動させると、被記録材の幅方向の端部を案内（位置規制）するためのサイドガイド９１０が給排紙トレイ７１０上に突出する。サイドガイド９１０の動作については、後述する。また、給排紙トレイ７１０の位置はセンサで検知され、その検知に基づいてフラットパス記録モードであるか通常記録モードであるかが判別される。
【００２３】
ここで、給排紙トレイ７１０に設けられたサイドガイド９１０の突出動作について説明する。給排紙トレイ７１０が通常記録の排紙トレイとして使用される第１ポジションにあるとき、サイドガイド９１０は給排紙トレイ７１０の上面より下がった退避位置にあり、突出していない。従って、排出されてくる被記録材の動きを妨げることはない。具体的には、サイドガイド９１０は支点９１０ｂを中心に回動可能に軸支されている。そこで、支点９１０ｂより排紙方向下流側に被記録材の端縁に接触可能なガイド部分９１１が形成され、その反対側には排紙上流側へ突出した突起部９１０ａが形成されている。そして、サイドガイド９１０は、ガイド部分９１１が上昇する回動方向にばね９０２により付勢されている。
【００２４】
給排紙トレイ７１０が下方位置である第１ポジションにあるとき、ラックホルダ９２０から内方へ突出する突起部９２０ａがサイドガイド９１０の突起部９１０ａを下側から押し上げる。従って、サイドガイドのガイド部分９１１がばね９０２に抗して押し下げられる。これにより、サイドガイド９１０は、その全体が給排紙トレイ７１０の上面より下がった位置に押し下げられている。つまり、通常記録のときのように給排紙トレイ７１０が第１ポジションにあるときは、サイドガイド９１０は給排紙トレイ７１０から突出しない状態になる。
【００２５】
一方、フラットパス記録において給排紙トレイ７１０が排紙口３１５のレベルである第２ポジションにあるときは、サイドガイド９１０の突起部９１０ａが上昇することでラックホルダ９２０の突起部９２０ａから離れる。このため、サイドガイド９１０は、ばね９０２の付勢力によりガイド部分９１１が上昇する方向に回動される。つまり、給排紙トレイ７１０が第１ポジションから第２ポジションへ移動すると、サイドガイド９１０は突出した状態から突出しない状態に変化する。
【００２６】
厚い被記録材や非可撓性の被記録材に記録するフラットパス記録においては、図７に示すような平坦なフラットパスに沿って被記録材を搬送する。このため、給排紙トレイ７１０の第１ポジションは図７に示すフラットパスと同じレベルでもある。また、フラットパス記録モードでは、厚い被記録材や非可撓性の被記録材に記録することから、記録ヘッド１１０とプラテン３４０との間に通常の記録より大きな隙間が必要な場合がある。その場合は、記録ヘッド１１０の位置を上昇させることになる。記録ヘッド１１０の上昇および下降は、ガイドシャフト４２０の両端部に設けられた回動カム等からなるキャリッジ昇降機構を用いてガイドシャフト４２０を上昇および下降させることにより行われる。つまり、キャリッジ４００を上昇させて記録ヘッド１１０を上昇させることにより、プラテン３４０との距離を増大させる。
【００２７】
また、フラットパス記録モードでは、被記録材を給排紙トレイ７１０に載せて給紙するときは、まず、外装部に配されたフラットパスキー３０４を操作する。これにより、拍車ホルダ３３０およびピンチローラホルダ３００が持ち上げられ、拍車３２０およびピンチローラ３７０が被記録材の厚さより高い位置まで離間する。これは、フラットパス記録で搬送する厚い被記録材や非可撓性の被記録材を挿通させた後に挟持するためである。
【００２８】
ここで、拍車ホルダ３３０の持ち上げ動作を説明する。図１２は拍車が排紙ローラに圧接されているときの斜視図である。図１３は拍車が排紙ローラから離間しているときの斜視図である。拍車ホルダ３３０の両端部には突起部３３０ａが設けられ、各突起部３３０ａは両端部のカム３２１に乗っている。各カム３２１は軸３２２に固定されている。軸３２２は不図示のモータによりギア３２３を介して回転駆動可能である。ユーザーがフラットパスキー３０４を操作すると、カム３２１が矢印Ｋ方向に回動駆動され、約１８０度回動した位置に停止する。これにより、図１３に示すように、拍車ホルダ３３０が上方へ移動し、排紙ローラ３１１と拍車３２０との間に隙間が形成される。なお、搬送ローラ３６０とピンチローラ３７０との間に隙間を形成する場合も、上述と同様のカム機構によりピンチローラホルダ３００を持ち上げてピンチローラ３７０を上方へ移動させることができる。
【００２９】
また、図６に示すように、リアトレイボタン７０１を押すことにより、装置背面に設けられたリアトレイ７０２を開き、さらに、リアサブトレイ７０３をＶ字に開くことも可能である。リアトレイ７０２およびリアサブトレイ７０３は、長い被記録材（補助トレイを含む）を装置前面（排紙口側）から挿入した場合に装置背面から突出する場合があることから、そのような場合にも被記録材を支えるためのトレイである。厚い被記録材の場合は、記録中にフラットな姿勢を保たないと、記録ヘッドと擦れたり、搬送負荷が変化するなどして画質低下を招くおそれがあることから、装置背面から突出するトレイは長い被記録材をフラットパス記録するときに有効である。ただし、装置背面からはみ出ない程度の長さの被記録材の場合は、これらのトレイを開く必要はない。
【００３０】
以上の動作により、被記録材を排紙口３１５からフラットパスへ挿入可能となる。そこで、ユーザーは、被記録材の右側の端部をサイドガイド９１０に沿わせて挿入し、後端部（手前側の端部）を給排紙トレイ７１０のマーカ位置９１３に揃える。ここで再度フラットパスキー３０４を操作して拍車ホルダ３３０を下降させ、第１排紙ローラ３１０および第２排紙ローラ３１１と拍車３２０との間で被記録材を挟持する。次いで、排紙ローラ３１０、３１１を通常記録とは逆方向に回転させて被記録材を装置内へ引き込む。被記録材を引き込む距離は、最も短い被記録材の後端が搬送ローラ３６０に届くまでの距離とする。こうして、被記録材が搬送ローラ３６０に到達したところで、ピンチローラホルダ３００を降ろし、被記録材を搬送ローラ３６０とピンチローラ３７０で挟持する。そして、搬送ローラ３６０を逆方向に回転させ、被記録材の後端部を搬送ローラ３６０とピンチローラ３７０で挟持するところまで逆搬送する。これで、被記録材が記録待機位置にセットされたことになる。
【００３１】
排紙ローラ３１０、３１１と拍車３２０とのニップ力は、通常記録における排紙動作が記録画像に悪影響を与えないように、比較的弱く設定されている。従って、そのままでは、フラットパス記録において記録を開始するときの被記録材の位置がずれるおそれがある。しかし、本実施形態では、挟持力が比較的高い搬送ローラ３６０とピンチローラ３７０のニップで被記録材を挟持しているので、被記録材を精確な位置にセットすることができる。また、プラテン３４０と拍車ホルダ３３０との間にフラットパスにおけるＰＥセンサ３０７（図７）が配されている。従って、被記録材を所定量だけ装置内へ給送するとき、ＰＥセンサ３０７によって被記録材の後端位置（後述のフィードバック搬送で記録するときの前端位置）を検知することによっても、被記録材のセット位置を高精度に維持することができる。
【００３２】
被記録材を記録待機位置にセットすると、記録コマンドを実行する。すなわち、搬送ローラ３６０を通常記録の搬送方向である正方向に回転させて、被記録材を記録ヘッド１１０による記録開始位置までフィードバック搬送する。これ以降は、通常記録の場合と同じ記録動作によって被記録材に画像を形成していく。そして、記録された被記録材は、フラットパスの出口（排紙口）と同じレベルの第２ポジションにセットされた給排紙トレイ７１０に排出される。給排紙トレイ７１０が第２ポジションにセットされているフラットパス記録においては、サイドガイド９１０は、給紙する被記録材を給排紙トレイ上に載置するとき給排紙トレイ７１０から突出している。しかし、被記録材がスイッチバック搬送で記録されて排出されるときは給排紙トレイ７１０の上面より下方の位置へ退避している。サイドガイド９１０を退避させる理由は、通常記録の場合と同様であり、排出されてくる被記録材とサイドガイドとの接触を防ぐためである。
【００３３】
次に、被記録材がフラットパスから排出されるときに、サイドガイド９１０を被記録材と接触しない位置へ退避させる動作について説明する。前述のように第１および第２排紙ローラ３１０、３１１は、搬送ローラ３６０と同期回転する。図１１において、第２排紙ローラ３１１の軸上にはギア９２１が固定されており、ギア９２１の回転はアイドラギア９２２を介して太陽ギア９２３へ伝達される。太陽ギア９２３はギアハウジング９２４の揺動中心に所定の負荷トルクをもって回転可能に軸支されており、ギアハウジング９２４には太陽ギア９２３と噛み合った遊星ギア９２５が回転自在に軸支されている。排紙ローラ３１１の排紙方向（矢印Ａ方向）の回転に伴って太陽ギア９２３が矢印Ｃ方向に回転すると、ギアハウジング９２４が矢印Ｄ方向に回動する。
【００３４】
すると、ギアハウジング９２４の突起部９２４ａは、サイドガイド９１０の回動支点９１０ｂよりガイド部分９１１側の部分を下方へ押圧することで、サイドガイド９１０をばね９０２に抗して支点９１０ｂを中心に矢印Ｅ方向（反時計回り）に回動させる。これにより、サイドガイド９１０は給排紙トレイ７１０の上面から突出しない退避位置へ回動させられる。退避位置へ回動したサイドガイド９１０が給排紙トレイ７１０に当接すると、ギアハウジング９２４はその揺動中心に設けられたトルクリミッタの作用により停止する。このようにして、給排紙トレイ７１０が第２ポジションにあるときでも、被記録材が排紙されてくるときは、サイドガイド９１０が給排紙トレイ７１０より下方へ退避する。このため、サイドガイド９１０が排紙動作の妨げになることはない。フラットパスで記録された被記録材の排紙が終了すると、排紙ローラ３１０、３１１を逆回転させる。すると、ギアハウジング９２４とともに突起部９２４ａが矢印Ｄと逆方向に移動してサイドガイド９１０から離れるため、サイドガイド９１０はばね９０２の付勢力により再び上昇し、給排紙トレイ７１０から突出する位置にセットされる。
【００３５】
なお、本実施形態では、サイドガイド９１０を下方へ退避させる手段として、遊星ギア９２５を用いたが、これはソレノイドなど、その他の駆動手段を用いて退避させても良い。１枚目に続いて２枚目のフラットパス記録を行う場合は、記録した被記録材を給排紙トレイ７１０から取り出し、次の被記録材を給排紙トレイ７１０上にセットし、前述の動作を繰り返せば良い。具体的には、上述のフラットパスキー３０４を押すことによって、拍車ホルダ３３０およびピンチローラホルダ３００を持ち上げて拍車３２０およびピンチローラ３７０離間させる動作から開始する。一方、フラットパス記録を終了する場合は、給排紙トレイ７１０を第１ポジションから第２ポジションへ戻すことにより、通常記録モードに戻すことができる。
【００３６】
以上説明した実施形態によれば、排紙トレイを着脱することなく、排紙トレイとして使用可能であるとともに、排紙手段から装置内へ延びるフラットパスの給紙トレイおよび排紙トレイとして兼用可能な給排紙トレイを備えた記録装置が提供される。また、フラットパス記録で被記録材を給紙位置にセットするときは、サイドガイドで端縁を案内することにより容易にセットすることができる。また、通常記録およびフラットパス記録で被記録材を排出するときは、サイドガイドを退避させることにより排出動作の妨げをなくすとともに被記録材の傷つきをなくすことができる。
【００３７】
〔第２の実施形態〕
図１４は第２の実施形態に係る斜視図である。本実施形態では、被記録材の一方の幅方向の端部を案内するサイドガイド９１０に加えて、被記録材の幅方向に移動可能な第２のサイドガイド９１５を追加したものである。第２のサイドガイド９１５も、前述の第１のサイドガイド９１０と同期して給排紙トレイ７１０の上面から突出したり下方へ退避したりする。
【００３８】
第２のサイドガイド９１５は、給排紙トレイ７１０がフラットパス記録のための第２ポジションへ移動したときに給排紙トレイ７１０から突出する。そして、被記録材がフラットパスをスイッチバック搬送されて排紙手段から排出されるとき被記録材と接触しない位置に退避する。また、第２のサイドガイド９１５は、給排紙トレイ７１０が通常記録のための排紙トレイとして機能する第１ポジション（下位置）にセットされた状態では、常に被記録材と接触しない位置に退避している。
【００３９】
図１４において、装置の前面側から見て右端部の固定位置にサイドガイド９１０が配され、左寄りの対向位置に幅方向に位置調整可能な第２のサイドガイド９１５が配されている。第２のサイドガイド９１５はユーザーの操作により矢印Ｇ方向に移動可能である。第２のサイドガイド９１５には、被記録材の幅方向外向きに突出した突起部９１５ａが設けられている。この突起部９１５ａは、第２のサイドガイド９１５を最小幅の被記録材の左側の端部に合わせて移動させたときでも、遊星ギア９４５のギアハウジング９４４の突起部９４４ａに係合可能な長さを有する。第２のサイドガイド９１５を上向きに付勢するばね９０３も、第２のサイドガイド９１５とともに左右方向に移動可能である。遊星ギア９４５は、右側端部のサイドガイド９１０を退避させるための遊星ギア９２５と同軸に固定されており、従って遊星ギア９２５と同期回転する。
【００４０】
かかる構成により、排紙ローラ３１１が排出方向に回転すると、図１１に示す右側端部のギアハウジング９２４の場合と同様、ギアハウジング９４４により第２のサイドガイド９１５がばね９０３に抗して下方へ押し付けられる。これにより、第２のサイドガイド９１５も、右側のサイドガイド９１０と連動して給排紙トレイ７１０の上面から退避する。その他の構成は、第１の実施形態と同様である。
【００４１】
〔第３の実施形態〕
図１５は搬送方向と交差する方向に移動可能なサイドガイドを備えた第３の実施形態に係る給排紙トレイの斜視図である。図１６は第３の実施形態に係る給排紙トレイにおいてサイドガイドを搬送方向と交差する方向へ移動させる機構を示す一部破断平面図である。第１の実施形態では、フラットパス記録の給紙時にはサイドガイドを突出させ、排紙時に給排紙トレイの上面から下方へ退避させる構成とした。これに対し、本実施形態では、フラットパス記録の給紙時にはサイドガイドを同様に突出させるが、排紙時にはサイドガイドを被記録材の幅方向に退避させるように構成される。
【００４２】
図１５および図１６において、給排紙トレイ７１０が第１ポジションにあるとき、サイドガイド９５０は、第１の実施形態と同様、ラックホルダ９２０の突起部９２０ａにより給排紙トレイ７１０の上面より下方へ押し下げられている。図１５は給排紙トレイ７１０が第２ポジションにセットされている状態を示す。この状態では、サイドガイド９５０は、第１の実施形態のサイドガイド９１０と同様、ラックホルダ９２０の突起部９２０ａの押圧が解除されることにより、給排紙トレイ７１０の上面より突出する。
【００４３】
図１６には、サイドガイド９５０を搬送方向と交差する方向に移動させる移動機構が示されている。図１６において、給排紙トレイ７１０の上面より下方の位置にソレノイド９５５が内蔵されている。給排紙トレイ７１０に固定されたガイドバー９５２ｂ、９５２ｃが、サイドガイド９５０の孔９５０ｂ、９５０ｃに挿通されている。給排紙トレイ７１０に固定された支点９５４に、リンクバー９５７がその中間部を中心に回動可能に軸支されている。リンクバー９５７の一端部はソレノイド９５５の可動鉄心９５５ａに連結され、他端部はサイドガイド９５０に連結されている。
【００４４】
ソレノイド９５５がオンになると、可動鉄心９５５ａが矢印Ｈ方向に移動する。すると、リンクバー９５７が支点９５４を中心に図示時計回りに回動し、サイドガイド９５０はリンクバー９５７に押圧されて矢印Ｉ方向に移動する。この矢印Ｉ方向は、被記録材の端縁から離れる方向である。かかる構成においてフラットパス記録を行うときは、給紙の段階では、第１の実施形態と同様、サイドガイド９５０を給排紙トレイ７１０から突出させた状態にしておく。そして、被記録材が給排紙トレイ７１０に排出される直前に、記録装置のメイン回路からソレノイドオン信号を出してソレノイド９５５をオンにし、サイドガイド９５０を被記録材の端縁から退避させる。次いで、被記録材の排出を完了し、排出された被記録材を取り出したところで、ソレノイド９５５オフ信号を出してソレノイド９５をオフにし、次のフラットパス記録における給紙に備えてサイドガイド９５０を給排紙トレイ７１０から突出させる。本実施形態によっても、前述の各実施形態と同様の効果が得られる。
【００４５】
〔第４の実施形態〕
図１７は第４の実施形態に係る給排紙トレイにおいてサイドガイドを退避させた状態を示す斜視図である。図１８は第４の実施形態に係る給排紙トレイにおいてサイドガイドを突出させた状態を示す斜視図である。本実施形態では、フラットパス記録において被記録材を給排紙トレイ上の給紙位置にセットするときにのみサイドガイドを突出させるように構成される。
【００４６】
図１７および図１８において、給排紙トレイ７１０をフラットパス記録のための第２ポジションまで移動させると、拍車ホルダ３３０の突起部３３０ｂがサイドガイド９１０の突起部９１０ｃを押さえるようになる。これにより、サイドガイド９１０は給排紙トレイ７１０の上面から押し下げられて下方へ退避する。サイドガイド９１０が退避位置にある図１７の状態でユーザーがフラットパスキー３０４を操作すると、ギア３２３を介して軸３２２が回動駆動される。すると、軸３２２の両端部のカム３２１が回動することで、図１８に示すようにカム３２１のカム面により拍車ホルダ３３０が押し上げられる。図１８の状態では、拍車ホルダ３３０の突起部３３０ｂはサイドガイド９１０の突起部９１０ｃから離れ、サイドガイド９１０はばね９０２の付勢力により給排紙トレイ７１０の上面から突出する。
【００４７】
フラットパス記録において、ユーザーが給紙のために被記録材を給排紙トレイ７１０の上面に載置（セット）セットした後、フラットパスキー３０４を操作すると、ギア３２３および軸３２２を介してカム３２１が回動駆動される。これにより、拍車ホルダ３３０はカム面の作用により下方へ降下し、拍車ホルダ３３０の突起部３３０ｂによりサイドガイド９１０の突起部９１０ｃが押し下げられる。従って、サイドガイド９１０は、図１７に示すように、給排紙トレイ７１０の上面より下方へ退避する。この時点では、給紙された被記録材は搬送され、記録され、排出されるが、サイドガイド９１０が下方へ退避しているので、被記録材の排出動作の妨げになることはない。本実施形態のその他の構成は、第１の実施形態と同じであり、従って本実施形態によっても同様の効果が得られる。
【００４８】
以上の各実施形態に係る給排紙トレイ７１０は、通常記録における排紙トレイとして機能する第１ポジションと、フラットパス記録における給紙トレイおよび排紙トレイの両方の機能を有する第２ポジションとの間で移動可能である構成とした。つまり、排紙手段から装置内へ延びる搬送路であるフラットパスの出入口に、給紙する被記録材および排出される被記録材を保持するための給排紙トレイ７１０を配する構成とした。そして、給排紙トレイ７１０を第２ポジションにセットしたときに被記録材の幅方向の端部を案内するサイドガイド９１０（９１５、９５０）が給排紙トレイ上に突出するように構成した。
【００４９】
かかる構成によれば、排紙トレイを着脱することなく、通常記録の排紙トレイと、フラットパス記録の給紙トレイおよび排紙トレイとを兼用できる給排紙トレイを備えた記録装置を構成することができる。また、フラットパス記録で被記録材を給紙位置にセットするときは、サイドガイドで端縁を案内することにより容易にセットすることができる。また、通常記録およびフラットパス記録のいずれでも、被記録材を排出するときにサイドガイドを退避させるので、被記録材の排紙動作を妨げることがなく、被記録材の傷つきもない給排紙トレイを備えた記録装置が提供される。
【００５０】
なお、以上の実施形態では、記録ヘッドを往復移動させて画像を形成するシリアルタイプの記録装置を例に挙げて説明したが、本発明は、紙送りのみで１ラインずつ一括して画像を形成するラインタイプの記録装置にも同様に適用可能である。
【図面の簡単な説明】
【００５１】
【図１】給紙手段から給送される被記録材に記録するときの記録装置の斜視図である。
【図２】記録装置の構成を示す斜視図である。
【図３】記録装置の構成を示す縦断面図である。
【図４】記録ヘッドおよびインクタンクの斜視図である。
【図５】フラットパスを用いて記録可能にした記録装置の前面斜視図である。
【図６】フラットパスを使用するときの記録装置の背面斜視図である。
【図７】フラットパスで被記録材に記録するときの記録装置の縦断面図である。
【図８】フラットパス記録のために給排紙トレイが第２ポジションにあるときの斜視図である。
【図９】給紙手段から給紙される被記録材に記録する通常記録のために給排紙トレイが第１ポジションにあるときの斜視図である。
【図１０】給排紙トレイが第２ポジションにあってサイドガイドが突出しないときの一部破断斜視図である。
【図１１】給排紙トレイが第２ポジションにあってサイドガイドが突出しないときの一部破断斜視図である。
【図１２】拍車が排紙ローラに圧接されているときの斜視図である。
【図１３】拍車が排紙ローラから離間しているときの斜視図である。
【図１４】第２の実施形態に係る斜視図である。
【図１５】搬送方向と交差する方向に移動可能なサイドガイドを備えた第３の実施形態に係る給排紙トレイの斜視図である。
【図１６】第３の実施形態に係る給排紙トレイにおいてサイドガイドを搬送方向と交差する方向へ移動させる機構を示す一部破断平面図である。
【図１７】第４の実施形態に係る給排紙トレイにおいてサイドガイドを退避させた状態を示す斜視図である。
【図１８】第４の実施形態に係る給排紙トレイにおいてサイドガイドを突出させた状態を示す斜視図である。
【符号の説明】
【００５２】
１１０      記録ヘッド
２６０      給紙トレイ
２８０      給紙ローラ
３００      ピンチローラホルダ
３０４      フラットパスキー
３１０      第１排紙ローラ
３１１      第２排紙ローラ
３１５      排紙口
３２０      拍車
３３０      拍車ホルダ
３４０      プラテン
３６０      搬送ローラ
３７０      ピンチローラ
４００      キャリッジ
７１０      給排紙トレイ
９０２      ばね
９０３      ばね
９１０      サイドガイド
９１５      第２のサイドガイド
９５０      サイドガイド
【図１】
2009196741.tif 000003
【図２】
2009196741.tif 000004
【図３】
2009196741.tif 000005
【図４】
2009196741.tif 000006
【図５】
2009196741.tif 000007
【図６】
2009196741.tif 000008
【図７】
2009196741.tif 000009
【図８】
2009196741.tif 000010
【図９】
2009196741.tif 000011
【図１０】
2009196741.tif 000012
【図１１】
2009196741.tif 000013
【図１２】
2009196741.tif 000014
【図１３】
2009196741.tif 000015
【図１４】
2009196741.tif 000016
【図１５】
2009196741.tif 000017
【図１６】
2009196741.tif 000018
【図１７】
2009196741.tif 000019
【図１８】
2009196741.tif 000020